(57)【特許請求の範囲】
【請求項１】
屋根瓦基材の表面に太陽電池が配設されている太陽電池付屋根瓦であり、水上側の太陽電池付屋根瓦が水下側の太陽電池付屋根瓦の上縁に一部重なって葺設される太陽電池付屋根瓦であって、
水下側の太陽電池付屋根瓦の太陽電池から引き出された出力ケーブルが、水上側の太陽電池付屋根瓦の下縁部より水下側に下がった位置の少なくとも１ヵ所でコネクターによって着脱自在に接続されてなることを特徴とする太陽電池付屋根瓦。
【請求項２】
屋根瓦基材の表面に、太陽電池から引き出された出力ケーブルの誘導溝が設けられ、この誘導溝の、少なくとも水上側の太陽電池付屋根瓦の下縁部より水下側に下がった位置は出力ケーブルを着脱自在に接続するためのコネクターが収納できる大きさとされていることを特徴とする請求項１記載の太陽電池付屋根瓦。
【請求項３】
屋根瓦基材の表面に太陽電池が配設されている太陽電池付屋根瓦であり、水上側の太陽電池付屋根瓦が水下側の太陽電池付屋根瓦の上縁に一部重なって葺設される太陽電池付屋根瓦であって、
屋根瓦基材の表面に、太陽電池から引き出された出力ケーブルの誘導溝が設けられ、この誘導溝の、少なくとも水上側の太陽電池付屋根瓦の下縁部より水下側に下がった位置は出力ケーブルを着脱自在に接続するためのコネクターが収納できる大きさとされていることを特徴とする太陽電池付屋根瓦。
【発明の詳細な説明】
【０００１】
【発明の属する技術分野】
本発明は、太陽電池付屋根瓦に関する。
【０００２】
【従来の技術】
住宅の屋根等に太陽電池を設置し、太陽エネルギーを利用し、太陽光発電を行い主力の火力発電で惹起される排気有害ガスや炭酸ガスによる温室効果等の地球環境問題と相俟って、代替エネルギーの一つとして、住宅の屋根を発電スペースとする太陽電池付屋根瓦が開発されている。
【０００３】
従来、このような太陽電池付屋根瓦として、例えば、実開平４−２８５２４号公報に、平板状の瓦本体の表面に浅い陥凹部を設け、該陥凹部に太陽電池を平板状の瓦本体の表面より突出させて接着剤で固定し、太陽電池の＋極及び−極の両端子から引き出された出力端子を瓦本体の前垂れ部付近の裏面に瓦本体を貫通して引き出してなる太陽電池付屋根瓦が開示されている。
【０００４】
又、特開平６−３４６５５７号公報に、前部上面の暴露部に太陽電池部を設け、後部が釘打ち孔のある非暴露部とし、リード線を前部を貫通して引き出してなる太陽電池付屋根瓦が開示されている。
【０００５】
しかし、特開平６−３４６５５７号公報や実開平４−２８５２４号公報に開示された太陽電池付屋根瓦は、いずれも太陽電池からのリード線が瓦本体を貫通して引き出すようになっているので、太陽電池単体を取り外すには、リード線を切断しなければならず、又、リード線のコネクターが、図８に示すように、水上側の太陽電池付屋根瓦の下縁部より水上側に上がった位置にあるため、太陽電池単体を交換する際に、水上側の太陽電池付屋根瓦を取り外した上で、瓦本体ごと交換しないと太陽電池の交換作業ができないという不便があり、当該作業が非常に煩瑣なものとなり、作業工数も多くなって、このような太陽電池付屋根瓦で葺設された屋根のメンテナンスが高価なものになってしまうといった問題点を有する。
【０００６】
【発明が解決しようとする課題】
本発明は、上記事実に鑑みなされたものであって、その目的とするところは、太陽電池付屋根瓦を取り外すことなく太陽電池のみの交換ができる葺設された屋根のメンテナンスが容易な太陽電池付屋根瓦を提供することにある。
【０００７】
【課題を解決するための手段】
請求項１記載の発明の太陽電池付屋根瓦は、屋根瓦基材の表面に太陽電池が配設されている太陽電池付屋根瓦であり、水上側の太陽電池付屋根瓦が水下側の太陽電池付屋根瓦の上縁に一部重なって葺設される太陽電池付屋根瓦であって、
水下側の太陽電池付屋根瓦の太陽電池から引き出された出力ケーブルが、水上側の太陽電池付屋根瓦の下縁部より水下側に下がった位置の少なくとも１ヵ所でコネクターによって着脱自在に接続されてなることを特徴とする。
【０００８】
請求項２記載の発明の太陽電池付屋根瓦は、請求項１記載の太陽電池付屋根瓦において、屋根瓦基材の表面に、太陽電池から引き出された出力ケーブルの誘導溝が設けられ、この誘導溝の、少なくとも水上側の太陽電池付屋根瓦の下縁部より水下側に下がった位置は出力ケーブルを着脱自在に接続するためのコネクターが収納できる大きさとされていることを特徴とする。
【０００９】
請求項３記載の発明の太陽電池付屋根瓦は、屋根瓦基材の表面に太陽電池が配設されている太陽電池付屋根瓦であり、水上側の太陽電池付屋根瓦が水下側の太陽電池付屋根瓦の上縁に一部重なって葺設される太陽電池付屋根瓦であって、
屋根瓦基材の表面に、太陽電池から引き出された出力ケーブルの誘導溝が設けられ、この誘導溝の、少なくとも水上側の太陽電池付屋根瓦の下縁部より水下側に下がった位置は出力ケーブルを着脱自在に接続するためのコネクターが収納できる大きさとされていることを特徴とする。
【００１０】
本発明で用いられる太陽電池は、特に限定されるものではないが、例えば、シリコン系半導体、化合物系半導体等の材料からなり、単結晶系や多結晶系の結晶系半導体やアモルファス系半導体が挙げられる。
これらの太陽電池は、その表面に、例えば、普通もしくは強化ガラス、アクリル系樹脂板等の透明性の高い表面保護材が積層されていてもよい。
上記太陽電池は、屋根瓦基材の表面に広い面積の太陽電池１枚のみが配設されているものであってもよいが、複数枚の太陽電池を組み合わせた太陽電池モジュールが用いられてもよい。
【００１１】
上記屋根瓦基材は、特に限定されるものではないが、例えば、セメント等の無機材料の硬化体、アルミニウムや鋼鉄等の金属材料、ポリカーボネートや繊維強化プラスチック等の有機材料、もしくはこれらを複合した材料からなるもの等が挙げられ、特にセメント硬化体が好適に用いられる。
【００１２】
上記セメント硬化体は、特に限定されるものではないが、例えば、アルミナ−シリカ系のポルトランドセメント、スラグセメント、アルミナセメント、混合セメント等のセメントに水を混和して硬化させてなるものであるが、これらのセメント硬化体は単１種のセメント硬化体であってもよく、２種以上のセメント硬化体が複合された構成からなるものであってもよい。
又、これらのセメント硬化体の表面に、防水や彩色のために、カラー防水層が設けられたものであってもよい。
【００１３】
屋根瓦基材をセメント硬化体で製すれば、１枚の屋根瓦基材の面積を成形歪やひび入り、割れ等の製品不良を発生させることなく大面積化でき、効率的且つ安価に生産できる。
更に、屋根瓦基材が薄肉であっても機械的強度は大きいものとすることができるので、太陽電池付屋根瓦の軽量化が可能となり、物流や施工における生産性を高めることができる。
【００１４】
上記太陽電池の出力ケーブルは、請求項１および請求項２記載の発明においては、水上側の太陽電池付屋根瓦の下縁部より水下側に下がった位置の少なくとも１ヵ所でコネクターによって着脱自在に接続されてなるものである。
【００１５】
即ち、図８に示すように葺設された、図１及び図２に示された太陽電池付屋根瓦の屋根流れ方向の断面図を示すが、上記出力ケーブル４は、水上側の太陽電池付屋根瓦の下縁部９より水下側に下がった位置に設けられたコネクター７に着脱自在に接続されており、太陽電池２を交換する必要が生じた場合、他の太陽電池付屋根瓦には関わりなく、葺設された該当する太陽電池付屋根瓦の表面から、太陽電池２のみを持ち上げ、出力ケーブル４端子をコネクター７において脱着すれば、太陽電池２は太陽電池付屋根瓦から容易に取り外すことができる。
【００１６】
上記太陽電池２の＋極及び−極に出力ケーブル４を接続するコネクター７は、図４及び図５に示されるように、太陽電池２の＋極及び−極をとりまとめる出力端子ボックス３の出力端子から引き出された導線を介して設けられることによって、該コネクター７の設置位置の自由度を高めたものであってもよく、図６に示されるように、出力端子ボックス３の一側面にコネクター７のコンセントが設けられたものであってもよく、又、図７に示されるように、出力端子ボックス３から直接出力ケーブル４が引き出されたものであってもよい。
又、上記コネクター７は、防水性の高い、所謂、防水仕様のコネクターを用いることにより、漏電等のトラブルを防止することができる。
【００１７】
上記出力端子ボックス３の構造は、上記太陽電池の＋極及び−極の両端子から引き出された単一もしくは複数の出力ケーブルを、必要に応じて、電圧等の電気量を所望電気量に変換しもしくはとりまとめができるものであれば特に限定されるものではないが、例えば、ステンレス鋼板等の金属板を水密な箱状に成形し、或いはアクリロニトリル−ブタジエン−スチレン共重合体（ＡＢＳ）樹脂等の合成樹脂製のボックスを成形した箱体内に、太陽電池の＋極及び−極の両端子から引き出された導線及び出力ケーブル４が挿入される。これらの挿入口は、弾性体等のパッキンやシーラントを用いて内部に充填したシリコーン油等の絶縁油が漏出しないようにシールされる。
上記出力端子ボックス３の厚さは、可及的薄いものであることが好ましく、例えば、８〜１５ｍｍ程度に仕上げられる。
【００１８】
又、上記出力端子ボックス３は、上記太陽電池２の裏面、即ち、受光面の反対側に貼付される、上記出力端子ボックス３が貼付される太陽電池の裏面の位置は特に限定されるものではないが、屋根瓦基材１の水上側に近い位置ほど太陽電池２の＋極及び−極の両端子から引き出されるケーブルの長さを短くすることができるので好ましい。
これらの太陽電池２からの出力ケーブル４は、特に限定されるものではないが、例えば、図４に示されるように、太陽電池付屋根瓦１枚につき、＋極及び−極からの２本の導線が絶縁体を介して一体化された２心ケーブル、同軸ケーブル、又、絶縁被服された単心ケーブルを縄状その他適宜方法で絡み合わせて一体化された２心ケーブルの１本にまとめられたものであってもよく、図５に示されるように、太陽電池付屋根瓦１枚につき、＋極及び−極からの２本の単心ケーブルを各々別に出力する出力ケーブルであってもよい。
【００１９】
又、上記出力端子ボックス３、出力ケーブル４等は、各々配設されている太陽電池付屋根瓦の表面に落ち付きよく収納ないしは匍匐させるために、図１に示されるように、屋根瓦基材１の太陽電池２の嵌込み凹部１１の底面に、更に、出力端子ボックス３の嵌込み凹部１２を穿設し、該嵌込み凹部１２に連なる出力ケーブル４の誘導溝１５を穿設して置くことが好ましい。図５に示されるように、出力端子ボックス３が２個以上配設される場合には、図１の出力端子ボックス３の嵌込み凹部１２及び出力ケーブル４の誘導溝１５は、２個以上設けられることになる。
【００２０】
上記誘導溝１５は、図３（イ）に示すように、その溝全体の溝幅や溝深さが出力ケーブル４を着脱自在に接続するためのコネクター７を収納できる大きさとされる他、図３（ロ）に示すように、水上側の太陽電池付屋根瓦の下縁部より水下側に下がった位置の部分までの誘導溝１５が、コネクター７を収納できる大きさであってもよい。
【００２１】
上記のとおり、誘導溝１５がコネクターを収納できる大きさであれば、図９に示されるように、出力ケーブル４が端子コネクター８によって接続され、この端子コネクター８の接続位置が水上側の太陽電池付屋根瓦の下縁部より水上側であっても、この出力ケーブル４をたぐって、端子コネクター８を誘導溝１５の水上側の太陽電池付屋根瓦の下縁部より水下側に下がった位置まで引き寄せることにより、端子コネクター８を外すことができ、太陽電池付屋根瓦に配設された太陽電池２を他の太陽電池付屋根瓦を含め、太陽電池付屋根瓦を取り外すことなく、極めて簡単な作業で、容易に太陽電池の交換ができる。
【００２２】
上記太陽電池２は、屋根瓦基材１の表面に配設されてなるものであるが、これらの太陽電池２の配設手段は、特に限定されるものではなく、例えば、屋根瓦基材１の表面と太陽電池２の表面が面一になるように配設されるものであってもよく、太陽電池２の表面が一部屋根瓦基材１の表面より突出しているものであってもよい。いずれの場合も、屋根瓦基材１の表面に穿設された凹部１１に太陽電池２を嵌め込み、必要に応じて、該太陽電池２を防水パッキン、弾性接着剤、難燃性接着剤及びコーキング材等の耐水性緩衝材によって接着する方法や太陽電池２周縁部表面を押圧するフック機構で係止する方法が採られてもよい。
【００２３】
上記防水パッキンとしては、例えば、ウレタンゴム系、ブチルゴム系、シリコーンゴム系、クロロプレンゴム系の各種防水パッキンが挙げられる。
上記弾性接着剤としては、例えば、シリコーン系、エポキシ系等の弾性接着剤が挙げられる。
又、難燃性接着剤としては、例えば、ハロゲン系難燃剤、リン系難燃剤等の有機系難燃剤を含有せしめた難燃性接着剤、水酸化アルミニウム、水酸化マグネシウム、三酸化アンチモン等の無機系難燃剤を含有せしめた難燃性接着剤等が挙げられる。就中、上記難燃性接着剤はこれらを基材なしで層状に形成し、セパレーターを用いて巻回した難燃性両面粘着テープもしくは難燃性を阻害しない基材の両面に上記難燃性接着剤を層状に形成した難燃性両面粘着テープが好適に用いられる。
又、コーキング材としては、例えば、ウレタン系コーキング材、シリコーン系コーキング材が挙げられる。
【００２４】
上記耐水性緩衝材を用いて屋根瓦基材１の表面の凹部１１に太陽電池２を配設する手段は、特に限定されるものではないが、上記耐水性緩衝材として、一定形状の防水パッキンや難燃性両面粘着テープ等を用いる場合、例えば、屋根瓦基材１の表面の凹部１１に太陽電池２の各側縁と上記凹部１１の側縁の間に適当間隔の空隙部を設け、該太陽電池２の裏面の各側縁に沿ってのみ切れ間なく連続して、帯状に上記防水パッキンもしくは難燃性両面粘着テープを介して接着固定される。
【００２５】
これらの配設手段のうち、葺設後に太陽電池２を交換するのに、特に太陽電池２を屋根瓦基材１の表面の凹部１１から取り外し易い方法として、例えば、図１０に示されるように、フック１７にて太陽電池２の周縁部を押圧して係止するフック機構が好ましい。
【００２６】
上記凹部１１の周縁部の高さが、上記太陽電池２の表面と略面一になる如く設定されることが好ましい。
このように屋根瓦基材１の凹部１１の周縁部の高さと太陽電池２の表面とが略面一になる如くなされた場合には、凹部１１内に太陽電池２をその境界に段差なく配設することができ、上記の如く葺設された太陽電池付屋根瓦は、特に、高い突起物がないので、風雨による塵埃の堆積がなく、風雨のシャワーや雨水の円滑な流れにより常に洗浄されるものであるので、常に、太陽電池２の表面を清浄に保つことができる。
【００２７】
上記屋根瓦基材１の表面の凹部１１の大きさは、上記太陽電池２の発電量が、太陽電池の表面積に比例するものであるので、屋根面積当たりの発電量を大きくするという観点から許容面積一杯に設けられることが好ましい。
【００２８】
又、太陽電池付屋根瓦の流れ勾配に平行な方向の左右いずれか一方の側端部付近に、太陽電池２の表面より高い突出部が設けられる。
上記突出部の幅や高さ等は、側辺が一部重なって葺設された隣合う太陽電池付屋根瓦の間から雨水の侵入を防止するものであれば、特に限定されるものではないが、上記の如く葺設されれば、概ね人がその上を歩行し得る程度のスペースが確保される。
【００２９】
又、太陽電池付屋根瓦の葺設方法は通常の屋根工事と同様、軒先より棟部に向かって図８に示されるように、野地板等の屋根下地材６に固定された水下側の太陽電池付屋根瓦の上縁部が、これから固定される水上側の太陽電池付屋根瓦の下縁部９を一部重ねて、雨の吹き込みによる漏水を防ぎ、屋根下地材に釘５打ちして固定し、順次、屋根棟に向かって葺設される。
上記釘打ち部は、釘打ち孔台座１３ａ、１４ａ及び貫通孔１３ｂ、１４ｂからなる釘孔からなり、屋根瓦基材１のサイズにもよるが、例えば、１００〜３００ｍｍ間隔で複数個が設けられており、該釘孔に釘打ちして、釘頭と野地板等の屋根下地材６の間に上記太陽電池付屋根瓦は強固に固定される。
【００３０】
又、太陽電池付屋根瓦の流れ勾配に平行な左右の雨仕舞は、屋根瓦基材の表面に太陽電池２を配設するのに支障のない構造であれば特に限定されるものではないが、例えば、図１に示されるように、屋根瓦基材１の右縁部１４が、左縁部１６の厚さ分だけ下方に位置するように屈曲されて受け部を形成しており、該受け部に屋根瓦基材１の左縁部１６が重なって被蓋部を形成して左右に連結されている。
上記被蓋部は、葺設された際に、太陽電池２の表面より好ましくは１〜５ｍｍ高くなるように構成されており、台形状の突出部を形成する。
【００３１】
又、軒先より棟部に向かって、水上側の太陽電池付屋根瓦が水下側の太陽電池付屋根瓦の上縁に一部重なって葺設されるものであるが、各太陽電池付屋根瓦の誘導溝１５から誘導される出力ケーブル４は、水下側の太陽電池付屋根瓦の水上側端部上方の水上側の太陽電池付屋根瓦の裏面で接続され、上記水下側の太陽電池付屋根瓦の水上側端部に沿って左右方向に誘導され、所定位置にある蓄電設備に誘導される。
【００３２】
本発明の太陽電池付屋根瓦は、上記コネクターを防水仕様とすることによって、太陽光発電システムの安全性を更に高めることができる。
【００３３】
【発明の実施の形態】
以下、本発明を図面を参照しながら説明するが、本発明は、これらの実施例に限定されるものではない。
【００３４】
（実施例１）
図４に、本発明の太陽電池付屋根瓦の一例につき、出力端子ボックス３及び出力ケーブル４を付設した太陽電池２の裏面を取り出して示し、図８に該太陽電池付屋根瓦を葺設した状態を示しているが、太陽電池２で発電された電力は、太陽電池２の＋極及び−極から出力端子ボックス３に導線で送電され、更に、コネクター７のコンセントに適宜長さの導線で送電されている。コネクター７のプラグは出力ケーブル４の一端に接続され、出力ケーブル４の他端は、水上側ないしは左右の太陽電池付屋根瓦から送電される出力ケーブルとの接続のための端子コネクター８が接続されている。なお、出力ケーブル４の誘導溝１５は溝全体が上記コネクター７が収納される大きさとされている。
【００３５】
上記のように構成された太陽電池付屋根瓦は軒先から棟部まで葺設され、図８に示されるように、水下側の太陽電池付屋根瓦の太陽電池から引き出された出力ケーブル４が、水上側の太陽電池付屋根瓦の下縁部９より水下側に下がった位置の少なくとも１ヵ所でコネクター７によって着脱自在に接続され、更に端子コネクター８によって、葺設された総ての太陽電池付屋根瓦の太陽電池を接続して太陽電池発電システムを構築した。
【００３６】
上記のように太陽電池付屋根瓦が葺設された太陽電池発電システムは、太陽電池付屋根瓦に配設された太陽電池を他の太陽電池付屋根瓦を含め、太陽電池付屋根瓦を取り外すことなく、屋根の上で太陽電池２のみを持ち上げ、コネクター７を外すだけという、極めて簡単な作業で、容易に太陽電池２の交換ができるものであった。
【００３７】
（実施例２）
図５に、本発明の太陽電池付屋根瓦の他の例につき、図４と同様に、出力端子ボックス３、３及び出力ケーブル４、４を付設した太陽電池２の裏面を取り出して示すものであるが、出力ケーブル４は、太陽電池２の＋極及び−極から別々の出力端子ボックス３、３及び出力ケーブル４、４に単心ケーブルで送電されること以外、実施例１と同様にして太陽電池発電システムを構築した。
本実施例の出力端子ボックス３及び出力ケーブル４を各々色分けすることによって、配線間違いを起こすことなく、且つ、能率的に太陽電池発電システムを構築し得るものであった。
【００３８】
上記のように太陽電池付屋根瓦が葺設された太陽電池発電システムは、実施例１と同様に、太陽電池付屋根瓦に配設された太陽電池２を他の太陽電池付屋根瓦を含め、太陽電池付屋根瓦を取り外すことなく、屋根の上で太陽電池２のみを持ち上げ、コネクター７を外すだけという、極めて簡単な作業で、容易に太陽電池２の交換ができるものであった。
【００３９】
（実施例３）
図６に、本発明の太陽電池付屋根瓦の他の例につき、図４と同様に、出力端子ボックス３の一側面にコネクター７のコンセントを設け、出力ケーブル４の一端にコネクター７のプラグを設けてコネクター７を構成したこと以外、実施例１と同様にして太陽電池発電システムを構築した。
本実施例において出力端子ボックス３の一側面にコネクター７のコンセントを設けることによって、出力ケーブル４の長さを最も短くすることができ、太陽電池発電システムの構築コストダウンに貢献した。
【００４０】
上記のように太陽電池付屋根瓦が葺設された太陽電池発電システムは、実施例１と同様に、太陽電池付屋根瓦に配設された太陽電池２を他の太陽電池付屋根瓦を含め、太陽電池付屋根瓦を取り外すことなく、屋根の上で太陽電池２のみを持ち上げ、コネクター７を外すだけという、極めて簡単な作業で、容易に太陽電池の交換ができるものであった。
【００４１】
（実施例４）
図７に、本発明の太陽電池付屋根瓦の他の例を示しているが、図４の例におけるコネクター７を用いることなく、出力端子ボックス３から直接出力ケーブル４を引き出し、その一端に端子コネクター８を設け、実施例１と同様にして太陽電池発電システムを構築した。
【００４２】
上記のように太陽電池付屋根瓦が葺設された太陽電池発電システムは、太陽電池を外し、図９に示されるように、出力ケーブル４をたぐって、端子コネクター８を誘導溝１５の水上側の太陽電池付屋根瓦の下縁部より水下側に下がった位置まで引き寄せることにより、端子コネクター８を外すことができ、実施例１と同様に、太陽電池付屋根瓦に配設された太陽電池２を他の太陽電池付屋根瓦を含め、太陽電池付屋根瓦を取り外すことなく、極めて簡単な作業で、容易に太陽電池の交換ができるものであった。
【００４３】
【発明の効果】
請求項１記載の本発明の太陽電池付屋根瓦は、叙上のように構成されているので、葺設された屋根の太陽電池に異常があり、部分的に太陽電池のみを交換する必要が生じた場合、他の太陽電池付屋根瓦に関わりなく、太陽電池付屋根瓦表面の太陽電池のみを持ち上げ、コネクターにおいて、出力ケーブルの接続を解いてやれば、極めて容易に太陽電池のみを取り外すことができ、葺設された屋根の太陽電池のメンテナンスを迅速にして確実、且つ、安価に実施することができる。
【００４４】
請求項２記載の本発明の太陽電池付屋根瓦は、叙上のように構成されているので、請求項１記載の太陽電池付屋根瓦と同様の効果を奏するとともに、出力ケーブルとコネクターは誘導溝に収納され、出力ケーブルやコネクターが邪魔になることがなく、出力ケーブルの切断やコネクターの損傷のおそれがなく、太陽電池付屋根瓦の葺設や太陽電池のみの取り外しが容易に行える。
【００４５】
また、請求項３記載の発明の太陽電池付屋根瓦は、叙上のように、屋根瓦基材の表面に、太陽電池から引き出された出力ケーブルの誘導溝が設けられ、この誘導溝の、少なくとも水上側の太陽電池付屋根瓦の下縁部より水下側に下がった位置は出力ケーブルを着脱自在に接続するためのコネクターが収納できる大きさとされているので、出力ケーブルのコネクターの接続位置が水上側の太陽電池付屋根瓦の下縁部より水上側であっても、この出力ケーブルをたぐって、コネクターを誘導溝の水上側の太陽電池付屋根瓦の下縁部より水下側に下がった位置まで引き寄せ、端子コネクターを外すことができ、太陽電池付屋根瓦に配設された太陽電池を他の太陽電池付屋根瓦を含め、太陽電池付屋根瓦を取り外すことなく、極めて簡単な作業で、容易に太陽電池の交換ができる。
【図面の簡単な説明】
【図１】本発明の太陽電池付屋根瓦の一例を、表面に太陽電池が配設される凹部が設けられた屋根瓦基材と、上記凹部に嵌め込まれて配設される太陽電池を上下に移動して示す斜視図である。
【図２】図１の屋根瓦基材に太陽電池が配設された太陽電池付屋根瓦の完成品を示す斜視図である。
【図３】屋根瓦基材に設けた出力ケーブルの誘導溝を示すものであって、（イ）は図１に示す誘導溝の拡大平面図、（ロ）は誘導溝の他の一例を示す拡大平面図である。
【図４】本発明の太陽電池付屋根瓦に配設された太陽電池の一例につき、その裏面を示す斜視図である。
【図５】本発明の太陽電池付屋根瓦に配設された太陽電池の他の例につき、その裏面を示す斜視図である。
【図６】本発明の太陽電池付屋根瓦に配設された太陽電池の他の例につき、その裏面を示す斜視図である。
【図７】本発明の太陽電池付屋根瓦に配設された太陽電池の他の例につき、その裏面を示す斜視図である。
【図８】葺設された図１の太陽電池付屋根瓦の屋根流れ方向の断面図である。
【図９】葺設された図７の太陽電池付屋根瓦につき、太陽電池を取り外す状態を示す説明図である。
【図１０】屋根瓦基材１の表面に太陽電池を配設する手段の一例を示すものであって、（イ）は平面説明図、（ロ）は（イ）のＡ−Ａ線の断面図である。
【図１１】従来の太陽電池付屋根瓦の出力ケーブルの引き出し手段を、図６と同位置で示す断面図である。
【符号の説明】
１：屋根瓦基材
１１：太陽電池嵌込み凹部
１２：出力端子ボックス嵌込み凹部
１３：上縁部
１４：右縁部（受け部）
１３ａ、１４ａ：釘打ち孔台座
１３ｂ、１４ｂ：貫通孔
１５：出力ケーブル誘導溝
１６：左縁部（被蓋部）
２、２２：太陽電池
２１：ガラス
３：出力端子ボックス
４：出力ケーブル
５：釘
６：屋根下地材
７、７１、７２、８：コネクター
９：下縁部
【図１】
0003609642.tif 000002
【図２】
0003609642.tif 000003
【図３】
0003609642.tif 000004
【図４】
0003609642.tif 000005
【図５】
0003609642.tif 000006
【図６】
0003609642.tif 000007
【図７】
0003609642.tif 000008
【図８】
0003609642.tif 000009
【図９】
0003609642.tif 000010
【図１０】
0003609642.tif 000011
【図１１】
0003609642.tif 000012